(57)【要約】【課題】電池収容部を覆う電池カバーを筐体に対して確実に固定できるとともに、容易に着脱できる携帯端末を提供する。【解決手段】携帯端末１０は、筐体１１と、筐体１１に設けられた電池収容部１５と、電池収容部１５を覆う電池カバー１７と、電池カバー１７に連結された筒部２１とを備えている。電池カバー１７は、筐体１１の厚み方向に対して直交する方向に沿って移動することにより筐体１１に着脱可能に形成されている。筒部２１は、取付完了位置Ｐ１にあるときに、ケース１２の一部１２Ｅおよびカバー１３の一部１３Ｃを収容するように形成されている。この筒部２１は、電池カバー１７の移動方向手前側の端部１７Ｂに設けられている。【選択図】図３
2013085093.tif 000002
【特許請求の範囲】
【請求項１】
ケースおよびカバーを有する筐体と、
前記筐体に設けられた電池収容部と、
前記電池収容部を覆うとともに、前記筐体の厚み方向に対して直交する方向に沿って移動することにより前記筐体に対して着脱可能な電池カバーと、
前記電池カバーに連結され、前記電池カバーが前記筐体に対して取付完了位置にあるときに、前記ケースの一部および前記カバーの一部を収容する筒部と、を備え、
前記筒部が、前記電池カバーの移動方向端部に設けられている携帯端末。
【請求項２】
ケースおよびカバーを有する筐体と、
前記筐体に設けられた電池収容部と、
前記電池収容部を覆うとともに、前記筐体の厚み方向に対して直交する方向に沿って移動することにより前記筐体に対して着脱可能な電池カバーと、
前記電池カバーに連結され、前記電池カバーが前記筐体に対して取付完了位置にあるときに、前記ケースの一部および前記カバーの一部を収容する筒部と、を備え、
前記筒部が、前記電池カバーの移動方向手前側に設けられている携帯端末。
【請求項３】
請求項１または請求項２に記載の携帯端末において、
前記筒部の外側面に対して前記筐体の側面が突出している携帯端末。
【請求項４】
請求項１または請求項２に記載の携帯端末において、
前記筒部の内面における移動方向手前側に設けられ、前記移動方向手前側よりも移動方向奥側が前記筐体から離れている斜面とを有する携帯端末。
【請求項５】
請求項１または請求項２に記載の携帯端末において、
前記電池カバーが前記筐体に対して取付完了位置にあるときに、
前記筐体に設けられて前記筒部における移動方向奥側の筒部端面が対面する壁部と、
前記筒部端面および前記壁部のうちの一方に設けられた凸部と、
前記筒部端面および前記壁部のうちの他方に設けられて前記凸部に係合する凹部とを有する携帯端末。
【請求項６】
請求項１または請求項２に記載の携帯端末において、
前記筐体における前記筒部に覆われる箇所に設けられた音孔と、
前記筒部に設けられ、前記音孔からの音声を当該筒部の外部に伝える貫通孔とを有する携帯端末。
【請求項７】
請求項６に記載の携帯端末において、
前記音孔および前記貫通孔が同一線に沿って連通している携帯端末。
【請求項８】
請求項６または請求項７に記載の携帯端末において、
前記ケースおよび前記カバーの境界線が前記筒部の内面に対面している携帯端末。
【請求項９】
請求項６ないし請求項８のうちのいずれか１項に記載の携帯端末において、
前記音孔が前記筐体の裏側に設けられている携帯端末。
【請求項１０】
請求項１または請求項２に記載の携帯端末において、
前記筒部における移動方向奥側の端部に隣接して設けられた操作部と、
前記筒部の内面における前記移動方向奥側に設けられた隆起部とを備える携帯端末。
【請求項１１】
請求項１０に記載の携帯端末において、
前記筒部の内面における移動方向奥側に設けられ、前記移動方向手前側よりも移動方向奥側が前記筐体から離れている筒部斜面と、
前記筐体における前記操作部に隣接するとともに前記筒部に覆われる位置において、前記操作部から離れるにしたがって下り勾配となる筐体斜面とのうちの少なくとも一方を有する携帯端末。
【発明の詳細な説明】
【技術分野】
【０００１】
本発明は、筐体に電池収容部を設け、電池収容部を覆う電池カバーを備え、電池カバーを筐体の厚み方向に対して直交する方向に沿って移動することにより筐体に対して着脱可能な携帯端末に関する。
【背景技術】
【０００２】
携帯端末は、通常、筐体に凹状の電池収容部が設けられ、この電池収容部に電池パックが収容され、電池収容部に収容された電池パックが電池カバーで覆われている。
この電池カバーは筐体に着脱自在に取り付けられている。よって、電池カバーを筐体から外すことにより、電池パックを電池収容部から取り出すことができる。
【０００３】
筐体に電池カバーを着脱自在に取り付けることにより、携帯端末の落下時等で衝撃が加えられた場合に、重量物である電池パックが電池カバーを押し出しながら電池収容部から脱落する。
【０００４】
ここで、筐体にカバーを取り付け構成とし、カバーを筒形状に形成し、筒形状のカバーを筐体に挿入し、カバーを筐体にねじ止めする構成が提案されている（例えば、特許文献１）。
この構成を、携帯端末の電池カバーに採用すれば、携帯端末の落下時等で衝撃が加えられた場合に、電池パックが電池カバーを押し出しながら電池収容部から脱落することを防止可能である。
【先行技術文献】
【特許文献】
【０００５】
【特許文献１】特開２００９−２９６０２６号公報（段落００３３、図４）
【発明の概要】
【発明が解決しようとする課題】
【０００６】
しかし、特許文献１の構成は、筐体にカバーがねじ止めされているため、カバーの着脱に手間がかかる。
このため、特許文献１の構成を電池カバーに採用した場合、電池カバーの着脱が容易にできないため、電池カバーの取外しに手間がかかることが考えられる。
【０００７】
本発明は、前述した課題を解決するためになされたものであり、その目的は、電池収容部を覆う電池カバーを筐体に対して確実に固定できるとともに、容易に着脱できる携帯端末を提供することにある。
【課題を解決するための手段】
【０００８】
本発明の携帯端末は、ケースおよびカバーを有する筐体と、前記筐体に設けられた電池収容部と、前記電池収容部を覆うとともに、前記筐体の厚み方向に対して直交する方向に沿って移動することにより前記筐体に対して着脱可能な電池カバーと、前記電池カバーに連結され、前記電池カバーが前記筐体に対して取付完了位置にあるときに、前記ケースの一部および前記カバーの一部を収容する筒部と、を備え、前記筒部が、前記電池カバーの移動方向端部に設けられている。
【０００９】
電池カバーの移動方向端部に筒部を設け、電池カバーが筐体に対して取付完了位置にあるときに、ケースの一部およびカバーの一部を筒部で収容するようにした。
よって、ケースの一部およびカバーの一部（すなわち、筐体の一部）に筒部を嵌め込むだけで、筐体の一部を筒部で覆うことができる。
これにより、電池収容部を覆う電池カバーを筐体に対して確実に固定できるとともに、容易に着脱できる。
【００１０】
ここで、携帯端末を落下等させた場合、携帯端末の端部に衝撃が加えられる。そこで、電池カバーの移動方向端部に筒部を設けて、携帯端末の端部を筒部で収容するようにした。
これにより、例えば、携帯端末の落下時等で衝撃が加えられた場合に、電池パックが電池カバーを押し出しながら電池収容部から脱落することをより好適に防止可能である。
【００１１】
さらに、ケースの一部およびカバーの一部を筒部で収容することにより、例えば、携帯端末に捩れや曲げ等の負荷をかけた場合でも、筐体から電池カバーが離れることを防止できる。
加えて、ケースの一部およびカバーの一部を筒部で収容することにより、ケースおよびカバーを筒部で強固に連結できるので携帯端末の剛性を高めることができる。
【００１２】
また、本発明の携帯端末は、ケースおよびカバーを有する筐体と、前記筐体に設けられた電池収容部と、前記電池収容部を覆うとともに、前記筐体の厚み方向に対して直交する方向に沿って移動することにより前記筐体に対して着脱可能な電池カバーと、前記電池カバーに連結され、前記電池カバーが前記筐体に対して取付完了位置にあるときに、前記ケースの一部および前記カバーの一部を収容する筒部と、を備え、前記筒部が、前記電池カバーの移動方向手前側に設けられている。
【００１３】
電池カバーの移動方向端部に筒部を設け、電池カバーが筐体に対して取付完了位置にあるときに、ケースの一部およびカバーの一部を筒部で収容するようにした。
よって、ケースの一部およびカバーの一部（すなわち、筐体の一部）に筒部を嵌め込むだけで、筐体の一部を筒部で覆うことができる。
これにより、電池収容部を覆う電池カバーを筐体に対して確実に固定できるとともに、容易に着脱できる。
【００１４】
さらに、ケースの一部およびカバーの一部を筒部で収容することにより、例えば、携帯端末に捩れや曲げ等の負荷をかけた場合でも、筐体から電池カバーが離れることを防止できる。
加えて、ケースの一部およびカバーの一部を筒部で収容することにより、ケースおよびカバーを筒部で強固に連結できるので携帯端末の剛性を高めることができる。
【００１５】
さらに、本発明の携帯端末は、前記筒部の外側面に対して前記筐体の側面が突出している。
【００１６】
筒部の外側面に対して筐体の側面を突出させることにより、使用者が筐体を保持（把持）している指を、筐体から筒部に向けて移動させた場合に、指を移動する力が筒部に作用することがない。
これにより、筐体から筒部に向けて指を移動させた場合に、指を移動する力が筒部に作用して筒部が筐体から外れる虞がない。
【００１７】
また、本発明の携帯端末は、前記筒部の内面における移動方向手前側に設けられ、前記移動方向手前側よりも移動方向奥側が前記筐体から離れている斜面とを有する。
【００１８】
筒部の内面に斜面を設け、この斜面を移動方向手前側よりも移動方向奥側において筐体から離すようにした。
これにより、筐体を筒部で収容する際に、斜面を筐体に沿って円滑に移動させることができるので、筒部を筐体の所定位置まで好適に案内できる。
【００１９】
さらに、本発明の携帯端末は、前記電池カバーが前記筐体に対して取付完了位置にあるときに、前記筐体に設けられて前記筒部における移動方向奥側の筒部端面が対面する壁部と、前記筒部端面および前記壁部のうちの一方に設けられた凸部と、前記筒部端面および前記壁部のうちの他方に設けられて前記凸部に係合する凹部とを有する。
【００２０】
筐体の壁部および筒部端面の一方に凸部を設け、かつ他方に凹部を設け、電池カバーが筐体に対して取付完了位置にあるときに、凸部および凹部が係合するようにした。
これにより、筐体の壁部に筒部端面を確実に係止できるので、筐体の壁部から筒部端面が浮き上がることを防止して筐体を筒部で好適に保持できる。
【００２１】
また、本発明の携帯端末は、前記筐体における前記筒部に覆われる箇所に設けられた音孔と、前記筒部に設けられ、前記音孔からの音声を当該筒部の外部に伝える貫通孔とを有する。
【００２２】
ケースの一部およびカバーの一部を収容する筒部に貫通孔を設け、この貫通孔で音孔からの音声を筒部の外部に伝えるようにした。
このように、ケースの一部およびカバーの一部を筒部で収容することにより、ケースおよびカバーの合わせ面（境界線）から筐体外への音漏れを防止できる。
よって、スピーカ（受信部）やマイクロフォン（送信部）の音圧を好適に保つことができるスピーカやマイクロフォンの性能を高めることができる。
【００２３】
加えて、筒部に貫通孔を設け、この貫通孔で音孔からの音声を筒部の外部に伝えるようにした。
これにより、スピーカから発生した音声を音孔および貫通孔を経て筒部の外部に好適に伝えることができ、さらに、通話者の音声を貫通孔および音孔を経てマイクロフォンに好適に伝えることができる。
【００２４】
さらに、本発明の携帯端末は、前記音孔および前記貫通孔が同一線に沿って連通している。
【００２５】
貫通孔を音孔に対して同一線に沿って連通することにより、マイクロフォンに通話者の音声を効率よく伝えることや、スピーカから発生した音を筐体の外部に効率よく伝えることができる。
これにより、マイクロフォンやスピーカの性能を一層高めることができる。
【００２６】
また、本発明の携帯端末は、前記ケースおよび前記カバーの境界線が前記筒部の内面に対面している。
【００２７】
ケースおよびカバーの境界線を筒部の内面に対面させることにより、境界線を筒部の内面で好適に塞ぐことができる。よって、ケースおよびカバーの境界線から筐体外への音漏れをさらに良好に防止できる。
これにより、スピーカやマイクロフォンの音圧を一層好適に保つことができるので、スピーカやマイクロフォンの性能をさらに高めることができる。
【００２８】
さらに、本発明の携帯端末は、前記音孔が前記筐体の裏側に設けられている。
【００２９】
また、本発明の携帯端末は、前記筒部における移動方向奥側の端部に隣接して設けられた操作部と、前記筒部の内面における前記移動方向奥側に設けられた隆起部とを備える。
【００３０】
筒部における移動方向奥側の端部に隣接して操作部を設けた。よって、操作部を押圧した際に筒部を押圧することが考えられる。
そこで、筒部の内面における移動方向奥側、すなわち操作部に隣接させて隆起部を設けた。よって、操作部に隣接させた隆起部で筒部の内面を支えることができる。
これにより、操作者が筒部を押圧した際に、筒部を押圧しても筒部が凹むことを隆起部で防ぐことができる。
【００３１】
さらに、本発明の携帯端末は、前記筒部の内面における移動方向奥側に設けられ、前記移動方向手前側よりも移動方向奥側が前記筐体から離れている筒部斜面と、前記筐体における前記操作部に隣接するとともに前記筒部に覆われる位置において、前記操作部から離れるにしたがって下り勾配となる筐体斜面とのうちの少なくとも一方を有する。
【００３２】
筒部に筒部斜面を設け、筐体に筐体斜面を設けた。筒部斜面は、移動方向手前側よりも移動方向奥側が筐体から離れるように形成されている。また、筐体斜面は、操作部から離れるにしたがって下り勾配となるように形成されている。
よって、筒部斜面は、筐体斜面に沿うように傾斜状に形成されている。
【００３３】
これにより、電池カバーの取付完了位置に向けて筒部を移動する際に、筒部斜面を筐体斜面に沿って円滑に移動できる。
さらに、筒部斜面が所定位置まで移動した際に、筒部斜面の移動を筐体斜面で抑えることができる。
従って、筒部を筐体の所定位置まで好適に案内して、電池カバーを取付完了位置まで容易に移動できる。
【００３４】
ここで、筒部斜面および筐体斜面の少なくとも一方を設けるだけでも、電池カバーの取付完了位置に向けて筒部を移動する際に、筒部斜面を筐体斜面に沿って円滑に移動することが可能である。
これにより、筒部斜面および筐体斜面の少なくとも一方を設けるだけでも、筒部を筐体の所定位置まで好適に案内して、電池カバーを取付完了位置まで容易に移動できる。
【発明の効果】
【００３５】
本発明の携帯端末によれば、電池カバーの移動方向端部に筒部を設け、電池カバーが取付完了位置に配置されたときに、ケースの一部およびカバーの一部（すなわち、筐体の一部）を筒部で収容するようにした。
これにより、筐体の一部に筒部を嵌め込むだけで筐体の一部を筒部で覆うことができるので、電池カバーを筐体に対して確実に固定できるとともに、容易に着脱できる。
【図面の簡単な説明】
【００３６】
【図１】本発明に係る携帯端末を表面側から見た状態を示す斜視図
【図２】図１の携帯端末を裏面側から見た状態を示す斜視図
【図３】図１の携帯端末から電池カバーおよび筒部を外した状態を示す斜視図
【図４】図２の携帯端末から電池カバーおよび筒部を外した状態を示す斜視図
【図５】図１のＩ−Ｉ線断面図
【図６】本発明に係る筒部で収容可能なケースの一部を示す斜視図
【図７】図１のＩＩ−ＩＩ線断面図
【図８】図１の携帯端末を示す平面図
【図９】図１のＩＩＩ−ＩＩＩ線断面図
【発明を実施するための形態】
【００３７】
以下、本発明の実施形態に係る携帯端末について図面を参照して説明する。
【００３８】
図１、図２に示すように、本発明の実施形態である携帯端末１０は、筐体１１と、筐体１１に設けられた電池収容部１５と、電池収容部１５を覆う電池カバー１７と、電池カバー１７に連結された筒部２１とを備えている。
電池収容部１５は、平面視略矩形状に形成され、電池パック１６が収容されている。
電池パック１６、略矩形体状に形成されている。
【００３９】
図３、図４に示すように、筐体１１は、ケース１２およびカバー１３を有し、ケース１２にカバー１３が着脱自在に設けられることにより略矩形体状に形成されている。
この筐体１１は、ケース１２の表面１２Ａに設けられた表示部３１と、表示部３１の下方に設けられた送信部（マイクロフォン）３２と、表示部３１の上方に設けられた複数の操作部３３と、操作部３３に隣接して設けられた複数の隆起部３４とを備えている。
【００４０】
図５に示すように、筐体１１は、ケース１２にカバー１３が取り付けられた状態において、ケース１２の上端部１２Ｂにカバー１３の上壁部１３Ａが当接され、上端部１２Ｂおよび上壁部１３Ａで合わせ面（境界線）３６が形成されている。
ケース１２およびカバー１３の境界線３６は筒部２１の内面２１Ａに対面している。
筒部２１の内面２１Ａに境界線３６を対面させることにより、境界線３６を筒部２１の内面２１Ａで塞ぐことができる。
【００４１】
また、ケース１２は、筒部２１の端面（以下、筒部端面という）２１Ｂに対面する壁部１２Ｃを有している。さらに、ケース１２の壁部１２Ｃのうち両端部近傍に凹部３７（図６も参照）がそれぞれ形成されている。
筒部端面２１Ｂは、筒部２１における移動方向（矢印Ａ方向）奥側の端面である。
この筒部端面２１Ｂは、壁部１２Ｃの凹部３７に係合可能な一対の凸部３８を有する。
【００４２】
図６、図７に示すように、ケース１２の表面１２Ａ側に操作部３３が設けられ、操作部３３に隣接して隆起部３４および筐体斜面３９が設けられている。
操作部３３は、筒部端面２１Ｂに隣接した状態において、筐体１１（図１参照）の幅方向に沿って複数個設けられている。
隆起部３４は、筒部２１の内面２１Ａにおける移動方向（矢印Ａ方向）奥側で、かつ操作部３３に隣接した位置からケース１２の長手方向（矢印Ｂ方向）に沿って延出されている。
操作部３３に隣接して隆起部３４を設けた理由については後で詳しく説明する。
【００４３】
筐体斜面３９は、ケース１２における操作部３３に隣接するとともに筒部２１に覆われる位置１２Ｄにおいて、操作部３３から離れるにしたがって下り勾配となるように形成されている。
操作部３３に隣接して筐体斜面３９を設けた理由については後で詳しく説明する。
【００４４】
図４に示すように、筐体１１は、カバー１３の表面（すなわち、筐体１１の裏側）１３Ｂのうち下部に設けられたカメラ部４２と、カバー１３の裏側空間４３のうち上部に設けられた通話用の受信部（スピーカ）４５Ａ（図７参照）とを備えている。
【００４５】
図７に示すように、受信部４５Ａに対向するようにカバー１３の表面１３Ｂに音孔４５が形成されている。すなわち、音孔４５は、カバー１３の表面１３Ｂのうち上部に設けられている。
音孔４５は、電池カバー１７が筐体１１に対して取付完了位置Ｐ１（図２参照）にあるときに、筒部２１の貫通孔４６に連通するように形成されている。
【００４６】
すなわち、音孔４５は、筐体１１における筒部２１に覆われる箇所に設けられている。
このように、音孔４５を貫通孔４６に連通するように形成することにより、受信部４５Ａから発生する音声を、音孔４５および貫通孔４６を経て筐体１１の外部に伝えることができる。
【００４７】
図１、図２に示すように、電池カバー１７は、電池収容部１５を覆うとともに、筐体１１の厚み方向（矢印Ｃ方向）に対して直交する方向、すなわち筒部２１の移動方向（印Ａ方向）に沿って移動することにより筐体１１に対して着脱可能なカバーである。
具体的には、電池カバー１７は、矢印Ａ方向に移動することにより電池カバー１７の両側部１７Ａが筐体１１の両側部１１Ａに係止する。
【００４８】
図３、図４に示すように、筒部２１は、電池カバー１７の移動方向端部、すなわち移動方向手前側の端部１７Ｂおよび移動方向奥側の端部１７Ｃのうち、移動方向手前側の端部１７Ｂに設けられている。
この筒部２１は、電池カバー１７が筐体１１に対して取付完了位置Ｐ１（図２も参照）にあるときに、筐体１１の一部１１Ｂを収容可能に、筐体１１の断面形状に沿って断面略矩形枠状の筒体に形成されている。
【００４９】
筐体１１の一部１１Ｂは、ケース１２の一部１２Ｅおよびカバー１３の一部１３Ｃで構成される。
すなわち、電池カバー１７が筐体１１に対して取付完了位置Ｐ１にあるときに、筐体１１の一部１１Ｂが筒部２１で覆われる。
【００５０】
図７に示すように、筐体１１の一部１１Ｂを筒部２１で覆った状態において、筒部２１の内面２１Ａにケース１２およびカバー１３の境界線３６が対面する。
よって、境界線３６を筒部２１の内面２１Ａで好適に塞ぐことができ、ケース１２およびカバー１３の境界線３６から筐体１１外への音漏れを良好に防止できる。
これにより、受信部４５Ａや送信部３２の音圧を好適に保つことができるので、受信部４５Ａや送信部３２の性能を高めることができる。
【００５１】
さらに、筒部２１は、カバー１３の表面１３Ｂに対向する部位２１Ｃに貫通孔４６が形成されている。
貫通孔４６は、音孔４５からの音声を筒部２１の外部に伝えるための孔である。
筒部２１に貫通孔４６を設けることにより、受信部４５Ａから発生した音声を音孔４５および貫通孔４６を経て筒部２１の外部に好適に伝えることができる。
【００５２】
この貫通孔４６は、電池カバー１７が筐体１１に対して取付完了位置Ｐ１（図２参照）にあるときに、音孔４５に対して同一線５２に沿って連通される位置に形成されている。
これにより、受信部（スピーカ）４５Ａから発生した音を筐体１１の外部に一層効率よく伝えることができる。
【００５３】
また、図８に示すように、筒部２１は、筐体１１の幅寸法Ｗ１に対して筒部２１の幅寸法Ｗ２が小さく形成されている。よって、筒部２１の外側面２１Ｄに対して筐体１１の側面１１Ｃを突出させるように両側面に段差５４が形成されている。
【００５４】
よって、使用者が筐体１１を保持（把持）している指を、筐体１１から筒部２１に向けて移動させた場合に、指を移動する力が筒部２１に作用することがない。
これにより、筐体１１から筒部２１に向けて指を移動させた場合に、指を移動する力が筒部２１に作用して筒部２１が筐体１１から外れる虞がない。
【００５５】
さらに、図９に示すように、筒部２１の内面２１Ａにおける移動方向（矢印Ａ方向）手前側の部位２１Ｅに斜面５６が設けられている。
この斜面５６は、移動方向手前側の部位５６Ａよりも移動方向奥側の部位５６Ｂが筐体１１（具体的には、筐体１１の一部１１Ｂ）から離れるように傾斜されている。
【００５６】
よって、筐体１１の一部１１Ｂを筒部２１で収容する際に、斜面５６を筐体１１の一部１１Ｂに沿って円滑に移動させることができる。
これにより、筒部２１を筐体１１の所定位置まで好適に案内して、電池カバー１７を取付完了位置Ｐ１（図２参照）まで容易に移動できる。
【００５７】
加えて、図５に示すように、筒部２１は、前述したように、筒部端面２１Ｂに凸部３８を有する。
筒部端面２１Ｂに凸部３８は、電池カバー１７が筐体１１に対して取付完了位置Ｐ１（図２参照）に配置されたとき、凹部３７に係合するように形成されている。
この凹部３７は、ケース１２の壁部１２Ｃに設けられている。
【００５８】
よって、電池カバー１７が筐体１１に対して取付完了位置Ｐ１（図２参照）に配置されたとき、凸部３８および凹部３７を係合させることができる。
これにより、筐体１１の壁部１２Ｃから筒部端面２１Ｂが浮き上がることを防止して筐体１１を筒部２１で好適に保持できる。
【００５９】
ここで、操作部３３に隣接して隆起部３４を設けた理由を図７に基づいて説明する。
すなわち、筒部２１における移動方向奥側の端部（筒部端面）２１Ｂに隣接して操作部３３が設けられている。このため、操作部３３を押圧した際に筒部２１が押圧されることが考えられる。
【００６０】
そこで、筒部２１の内面２１Ａに対向するケース１２の一部１２Ｅおける、移動方向奥側の部位（すなわち、操作部３３）に隣接させて複数の隆起部３４を設けた。
複数の隆起部３４は、ケース１２の幅方向に所定間隔をおいて配置され、ケース１２の長手方向に延長されている（図６参照）。
【００６１】
よって、操作部３３に隣接させた隆起部３４で筒部２１の内面２１Ａを支えることができる。
これにより、操作者が筒部２１を押圧した際に、筒部２１を押圧しても筒部２１が凹むことを隆起部３４で防ぐことができる。
【００６２】
さらに、操作部３３に隣接して筐体斜面３９を設けた理由を図７に基づいて説明する。
筒部２１は、筒部２１の内面２１Ａにおいて筐体斜面３９に対応する位置に筒部斜面５７が設けられている。
具体的には、筒部斜面５７は、筒部２１の内面２１Ａにおいて筐体斜面３９に対応する位置で、かつ筒部２１の内面２１Ａにおける筒部端面２１Ｂ側に設けられている。
【００６３】
筒部斜面５７は、移動方向手前側よりも移動方向奥側（すなわち、操作部３３側）がケース１２から離れるように傾斜状に設けられている。
一方、前述したように、筐体斜面３９は、操作部３３から離れるにしたがって下り勾配となるように形成されている。
よって、筒部斜面５７は、筐体斜面３９に沿うように傾斜状に形成されている。
【００６４】
これにより、筒部２１を矢印Ａ方向に移動する際に、筒部斜面５７が筐体斜面３９に沿って円滑に移動でき、さらに、筒部斜面５７が所定位置まで移動した際に、筒部斜面５７の移動を筐体斜面３９で抑えることができる。
従って、筒部２１を筐体１１の所定位置まで好適に案内して、電池カバー１７を取付完了位置Ｐ１（図２参照）まで容易に移動できる。
【００６５】
以上説明したように、携帯端末１０によれば、図２、図３に示すように、電池カバー１７の移動方向手前側の端部１７Ｂに筒部２１を設けた。
さらに、電池カバー１７が筐体１１に対して取付完了位置Ｐ１にあるときに、ケース１２の一部１２Ｅおよびカバー１３の一部１３Ｃを筒部２１で収容するようにした。
【００６６】
よって、ケース１２の一部１２Ｅおよびカバー１３の一部１３Ｃ（すなわち、筐体１１の一部１１Ｂ）に筒部２１を嵌め込むだけで、筐体１１の一部１１Ｂを筒部２１で覆うことができる。
これにより、電池収容部１５を覆う電池カバー１７を筐体１１に対して確実に固定できるとともに、容易に着脱できる。
【００６７】
ここで、携帯端末１０を落下等させた場合、携帯端末１０の端部に衝撃が加えられる。そこで、電池カバー１７の移動方向手前側の端部１７Ｂに筒部２１を設けて、携帯端末１０の端部を筒部２１で収容するようにした。
これにより、例えば、携帯端末１０の落下時等で衝撃が加えられた場合に、電池パック１６が電池カバー１７を押し出しながら電池収容部１５から脱落することをより好適に防止可能である。
【００６８】
さらに、ケース１２の一部１２Ｅおよびカバー１３の一部１３Ｃを筒部２１で収容することにより、例えば、携帯端末１０に捩れや曲げ等の負荷をかけた場合でも、筐体１１から電池カバー１７が離れることを防止できる。
加えて、ケース１２の一部１２Ｅおよびカバー１３の一部１３Ｃを筒部２１で収容することにより、ケース１２およびカバー１３を筒部２１で強固に連結できるので携帯端末１０の剛性を高めることができる。
【００６９】
なお、本発明に係る携帯端末は、前述した実施形態に限定されるものではなく適宜変更、改良等が可能である。
例えば、実施形態では、電池カバー１７の移動方向端部として移動方向手前側の端部１７Ｂに筒部２１を連結した例について説明したが、これに限らないで、電池カバー１７の移動方向手前側に筒部２１を設けることも可能である。
【００７０】
また、実施形態では、ケース１２の壁部１２Ｃに凹部３７を設け、筒部２１の筒部端部  に凸部３８を設けた例について説明したが、これに限らないで、壁部１２Ｃに凸部３８を設け、筒部端面２１Ｂに凹部３７を設けることも可能である。
【００７１】
さらに、実施形態では、音孔４５を受信部（スピーカ）４５Ａの孔として用いた場合を例に説明したが、これに限らないで、音孔４５を送信部（マイクロフォン）３２の孔として用いることも可能である。
【００７２】
また、実施形態では、音孔４５および貫通孔４６を同一線５２に沿って連通させた例について説明したが、これに限らないで、音孔４５および貫通孔４６を同一線５２に沿って設けないように連通することも可能である。
【００７３】
さらに、実施形態では、筒部２１に筒部斜面５７を設け、筐体１１に筐体斜面３９を設けた例について説明したが、これに限らないで、筒部斜面５７および筐体斜面３９の少なくとも一方を設けることも可能である。
【００７４】
また、実施形態で使用した携帯端末、筐体、ケース、カバー、電池収容部、電池カバー、筒部、操作部、隆起部、凹部、凸部、筐体斜面、音孔、貫通孔、斜面および筒部斜面等の形状や構成は例示したものに限定するものではなく適宜変更が可能である。
【産業上の利用可能性】
【００７５】
本発明は、筐体に電池収容部を覆う電池カバーを備え、電池カバーを筐体の厚み方向に対して直交する方向に沿って移動することにより筐体に対して着脱可能に構成された携帯端末への適用に好適である。
【符号の説明】
【００７６】
１０  携帯端末
１１  筐体
１１Ｂ  筐体の一部
１１Ｃ  筐体の側面
１２  ケース
１２Ｃ  壁部
１２Ｅ  ケースの一部
１３  カバー
１３Ｂ  カバーの表面（筐体の裏側）
１３Ｃ  カバーの一部
１５  電池収容部
１７  電池カバー
１７Ｂ  移動方向手前側の端部（移動方向端部）
１７Ｃ  移動方向奥側の端部（移動方向端部）
２１  筒部
２１Ａ  筒部の内面
２１Ｂ  筒部端面
２１Ｄ  筒部の外側面
３３  操作部
３４  隆起部
３６  境界線
３７  凹部
３８  凸部
３９  筐体斜面
４５  音孔
４６  貫通孔
５２  同一線
５６  斜面
５７  筒部斜面
Ｐ１  取付完了位置
【図１】
2013085093.tif 000003
【図２】
2013085093.tif 000004
【図３】
2013085093.tif 000005
【図４】
2013085093.tif 000006
【図５】
2013085093.tif 000007
【図６】
2013085093.tif 000008
【図７】
2013085093.tif 000009
【図８】
2013085093.tif 000010
【図９】
2013085093.tif 000011